(57)【要約】【課題】    従来のちり取りはごみを掃き入れては何度もごみ袋に移し入れるくり返しで、様々な不便があり、手間がかかり作業効率が悪かった。そこでちり取りとごみ袋を一体にと工夫し、発明されたが、ごみ袋に制約があったり、ちり取りに複雑な構成が施されたりで便利ではなかった。【解決手段】    副部材Ｂのごみ袋に、主部材Ａのごみちり取りを入れ置くという方法の構成であって、ごみ袋の開口を最大限に維持し、一挙にごみを掃き込むことが出来る、使用方法が簡単で便利なごみちり取りを提供出来るとともに、サイズを大中小と使い分けることにより、狭い溝の中などまでも対応出来る。【選択図】    図３
2005246038.tif 000002
【特許請求の範囲】
【請求項１】
基板２の一端に、弾性体で上面に傾斜を有した掃き込み口板ブレード１を有するごみちり取り用主部材Ａと、ごみ袋Ｂとのセットから成ることを特徴とする、ごみちり取り。
【請求項２】
上記ごみちり取り用主部材Ａが、その掃き込み口板ブレード１と反対側の両角にすべり止め１ａを有する請求項１に記載のごみちり取り。
【請求項３】
請求項１に記載の、ごみちり取り主部材Ａを、ごみ袋Ｂの中に置き、掃き込み口板ブレード１の下面３と基板２との間にごみ袋開口縁下部４を挟み、ごみ袋開口縁上部中央７をつまみ上げることにより、掃き込み口６を維持しつつごみ袋の中へごみを導くことを特徴とする、ごみの除去方法。
【請求項４】
基板２の巾を掃き込み口板ブレード１よりも狭くし、基板の巾よりも長くなった掃き込み口板ブレードの左右それぞれの端近くに切れ目１ｂを設け、掃き込み口板ブレード１と基板２の間に挟んだごみ袋開口縁下部４の延長を１ｂの切れ目で固定させる請求項２又は３に記載のごみちり取り。
【発明の詳細な説明】
【技術分野】
【０００１】  本発明は、掃き掃除に際し、様々なごみ袋を装着して、ごみを一挙に掃き込むことが出来る、シンプルなごみちり取りと、その簡単な使用方法に関する。
【背景技術】
【０００２】  通常掃き掃除は、庭、街路、公園、学校、工場、駅、催場など、いかなる場所でも、ごみの大小にかかわらず、一般的な大きさのちり取りが用いられ、一旦それに掃き集め、箒を置き、ごみ袋を不安定な状態で開け広げて移しかえる作業を、何度もくり返しながら行われている。【０００３】  しかし、掃き集め最中に風でごみが飛散したり、何度も袋の中を広げてはごみを移すため、その際袋の外にこぼれることも多く、又ちり取りより大きな枝葉のようなものは、一つずつ手で拾い上げ袋に入れるなど、無駄な時間と様々な不便が生じた。【０００４】  このような難点から、様々な工夫を施し、ごみ袋とちり取りを一体にしたものや、ちり取りに工夫を施しごみ袋を装着しているものが発明されている。
【特許文献１】    特開平  １０−２５００１
【特許文献２】    特開平    ９−１０８１５７
【発明の開示】
【発明が解決しようとする課題】
【０００５】  しかしながら、上記の従来の工夫の場合、現在の市町村の指定外のごみ袋を使用しなければならず、回収不可能とされるし、別の工夫では袋の口のサイズを変化させるなど、取り付けにも煩雑で、しかも面倒さがあり、又それぞれに構造も複雑で、日常の道具として最も必要な条件と思われる、シンプル且つ有能及び合理性が備わっていなかった。【０００６】  本発明は従来の難点を解決しようとするもので、各市町村で回収可能とされるごみ袋や又他の様々なごみ袋を挟着させるだけで、ごみを一挙に掃き込むことが出来、掃き掃除が、大変効率よく便利に行えることを目的としたものである。
【課題を解決するための手段】
【０００７】  上記目的を達成するために本発明は、高分子化合物や金属などの、たとえばプラスチック、硬質ゴ厶やステンレスなどの基板２に、弾性を有する掃き込み口板ブレード１とすべり止め１ａを装着した構成の主部材Ａと、通常のごみ袋である副部材Ｂとの組み合わせから成っている。【０００８】  又上記掃き込み口板ブレード１は弾性の材料、特に好ましくは高分子化合物、たとえば天然ゴム  ＥＰＤＭゴム  軟質系プラスチックなどから作成され、又小さなごみを掃き込み易くする為に、掃き込み口先端が薄くなるようになだらかな傾斜を有しており、基板２の下面との間にごみ袋を挟める構成としている。【０００９】  そしてこの基板２に、掃き込み口板ブレード１と必要に応じ更にすべり止め１ａを装着したごみちり取りの主部材Ａを、副部材Ｂのごみ袋の中に入れ置き、ごみ袋開口縁下部４を掃き込み口板ブレード下面３に挟着し、ごみ袋開口縁上部中央７をつまみ上げることによって生じた空間に、箒でごみを掃き込むという方法を構成している。尚、主部材Ａにおいてブレード１と基板２を一体としても良い。【００１０】  上記課題解決手段による作用は次の通りである。すなわち本発明のごみちり取りの主部材Ａをごみ袋Ｂの中に入れ置き、下側のごみ袋開口縁４を掃き込み口板ブレード下面３に挟着し、上側のごみ袋開口縁上部中央７をつまみ上げることにより、略三角形の掃き込み口６が形成され、同時に基板２を底面とする略四角垂のごみちり取りの空間が生じて維持され、この最大限に開かれたごみ袋の中へ一挙にごみを掃き入れることが出来る。
【発明の効果】
【００１１】  上述したように本発明のごみちり取りの主部材Ａは、ごみ袋Ｂの中へ入れ置いて、ごみ袋の開口縁４を挟着するだけで使用でき、傾斜をつけた掃き込み口板ブレード１により細かいごみも残さず掃き取れ、大きな掃き込み口には竹箒や熊手でも一挙に掃き入れることが出来、又本発明の小サイズ使用では、狭い溝の掃除もかがんでシャベル等ですくい取ることもなく、本発明の請求項４に記載の基板２の巾の狭い小サイズ（図５参照）を使用すれば図６に示す通り溝の形状に自在にピッタリ収まって簡単に掃き取れるし、又せっかく掃き集めたごみが風によって飛散したりする心配もなく、何度も集めてはごみ袋に移す際に一旦箒を置いて袋の口を開いたり、又その不安定な状態で移すごみがこぼれたりとめんどうであったその不便も解消され、その上使用方法は手間がかからず、従来の掃き掃除の時間が相当短縮出来、毎日の掃除が大変楽になる効果を発揮するものである。
【発明を実施するための最良の形態】
【００１２】  以下  本発明の実施形態を、図面を参照して説明する。【００１３】  図１は本発明の典型的なごみちり取りの主部材Ａの斜視図であり、基板２に掃き込み口板ブレード１と反対側の２角にすべり止め１ａを装着した構成としている。【００１４】  図２は図１の側面図であり、掃き込み口板ブレード１は基板２を挟み、上側は細かいちりも掃き込み易いよう先端が薄くなるように傾斜をつけ、下側は地面や床に出来るだけ密着しやすいよう平らで、基板２との間にごみ袋開口縁下部４を挟着出来る構成としている。この際の傾斜の程度はごみを掃き込める程度であれば良い。【００１５】  また図３は本発明のごみちり取り主部材Ａを、副部材Ｂのごみ袋の中に収納し、ごみ袋開口縁下部４を掃き込み口板ブレード下面３の中に挟着し、ごみ袋開口縁上部中央７をつまみ上げることにより、咯三角形の掃き込み口６が形成され、と同時に基板２を底面とした略四角垂の空間が生れる構成を示した本発明の典型的な使用方法を現わしている。【００１６】  このことから、かかる構成のごみちり取り主部材Ａにあって、大中小のサイズを使い分けることにより、例えば大サイズなら業務用の大きなごみ袋を挟着して間口の大きいごみちり取りとし、剪定の際の枝くず等も箒で掃き込むことが出来るし、又図５の小サイズを使えば、図６のように掃き込み口板ブレード１が立体的になり、溝のような狭くて深い場所に自在に変形し対応出来るものである。【００１７】  本発明は以上のような構成で、様々なごみ袋を最大限に開口維持出来、それによって生じた基板上の空間に一挙にごみを掃き入れ、ごみ袋の奥にごみを導き、袋がいっぱいになったら、本発明のごみちり取り主部材Ａを抜き取り、袋の口を結びとじて回収に出す。又、ごみが少ない時は、掃き込み口６を掃き込み口板ブレード下面３に挟み込み、袋の口をとじた状態にして保管しておけばよい。
【図面の簡単な説明】
【００１８】
【図１】本発明のごみちり取り主部材Ａの一実施形態を示した斜視図
【図２】図１の側面図
【図３】本発明の典型的な使用形態を現わした斜視図
【図４】図３の側面図
【図５】本発明のごみちり取り主部材Ａの他の形態を示した斜視図
【図６】本発明のごみちり取りの代表的な使用形態の一例を現わした斜視図
【符合の説明】
【００１９】Ａ    本発明のごみちり取りの主部材
Ｂ    本発明のごみちり取りの副部材とするごみ袋
１    掃き込み口板ブレード
２    基板
３    掃き込み口板ブレード下面
４    ごみ袋開口縁下部
５    ごみ袋の奥
６    掃き込み口
７    ごみ袋開口縁上部中央
１ａ  すべり止め
１ｂ  切れ目
【図１】
2005246038.tif 000003
【図２】
2005246038.tif 000004
【図３】
2005246038.tif 000005
【図４】
2005246038.tif 000006
【図５】
2005246038.tif 000007
【図６】
2005246038.tif 000008